(57)【要約】      （修正有）【課題】  クーラーボックスは、連日４０℃を超える猛暑の中では、午前早期の涼しい時間帯から、せいぜい５〜８時間程度で中の氷が溶けてしまい、中の氷が無くなった時にクーラボックスは必要とする機能を停止する決定があった。【解決手段】  本発明は、クーラーボックスに寸法を合わせ、このタオル地に水を含ませ、その表面に昇華現象が働き、クーラーボックスの蓋を極度に開け閉めしない限り、氷の消失しづらくすることを特徴とする。【選択図】  図２
2007071523.tif 000002
【特許請求の範囲】
【請求項１】
現在市販されている保冷品をして、保冷したいと思われる容器他、クーラーボックスと呼称される物、容器の型にして水分を含んだタオル素材。若しくは、保湿紙を用いて、これに覆い被せて着せる事により、風、若しくは大陽熱によってここに昇華現象を発生させ、保冷器内に在る氷の融解時間の延期を計り実行する内側に銀箔を用い「クール・バリアー」を称する覆いを製作発明する事への請求。
【請求項２】
またこの「クール・バリア」を称する覆いを人が目を離していても、自然掲乾しない様に、夏期暑中時、掲きを防止すべく、この覆いのすそを常に濡らして置けるべく、「クール・バリア」と一体化する水貯まり、受け容器「バリアーオアシス」を製作発明する事への請求。
【請求項３】
又、クーラーボックスをして、この内面積の１／３の表面積を持つ板氷をこれに入れ、本発明「クール・バリアー」及び「バリアー、オアシス」を併用して用いると、延べ、これを使用しない物よりも３時間以上氷解時間を延ばす事の出来る事実が発見される事から、この表面積を持つ氷を入れる、穴の多く開いたステンレス製の箱を作り、氷、融解水をクーラーボックスの底部に貯める事の出来るボックス付、ステンレス板を発明する事への請求。
【発明の詳細な説明】
2007071523.tif 000003
【技術分野】
【０００１】  本発明されるクール・バリア、覆いを用い、要冷したいと思われる物にこれを覆った場合、そこに強力な昇華現象が起こり、要冷（冷蔵庫に入れた）した際、熱暑温度の高い時、風力のある時に利用した場合に、これを使用しない物に比して、数段違いの効力を見る事が出来、【０００２】  クーラーボックスの内面積１／３面積を基準にする板氷入れ容器の之れを認意に等分される基準値にして設置して置くと消費者に保障を以って安心感を与える技術力があり、クーラーボックスにきれいな認意の覆いカバーをする事が出来、之れを汚さないで済む技術があった。
【背景技術】
【０００３】  特願２００４−２７８４５７：家具付車両参照されたし、特願２００４−２１７９９２、御用マッチ参照されたし
【発明の開示】
【発明が解決しようとする課題】
【０００４】  筆者は、中東、インド、アフリカ地方をかって回遊し、病院に勤めていた事があり、この地方の昼夜の寒暖差と貧富の差の開きの差には、日本国内に居た時では考えられない程の違いがあった。筆者は日本から、この国に持ち込んだ多くの日常生活道具と彼等が先祖伝来にして使用し続ける生活用品に目を付け、考学の為、彼等の持ち物と我々の持ち物を見比べると、火起こし器と、水容器とに特に注意が行った。【０００５】  筆者等研究グループが、マッチや、ライターを年間、数千本使う所、特にアフリカ地方では、独特の火熾器を自然木より簡単に作り出し、これを用いて簡易に火を熾こして使っていた。そして、先祖伝来から使わる素焼の壺を自在に用いる時、その中の水は常に４℃の水温を保っていた。ところが、【０００６】  対比する、筆者達が、これらの暑い国々に持ち込んだ日本国に市販される多くのクーラーボックスには、中に常に氷を入れて置かなければ認意の役に立つ物では無く、連日４０℃を越える猛暑の中、これらの物は日本国をして、先進国にあっては、軽量物であり、懐れづらい利点がありながらも、病院から、現場へ、又は製薬会社から病院へ薬品等を暗所冷温にして、送附する時、午前早期の涼しい時間帯から、せいぜい５〜８時間程で中の氷が触けてしまい、この時間帯のうちにあっては、完壁な、１℃〜４℃を保ち続ける簡易冷蔵庫となる物であったが、この５〜８時間を越えて、中の氷が無くなった時にクーラボックスは、すぐ、この必要する機能を停止する欠点があった。
【課題を解決する為の手段】
【０００７】  筆者等、研究グループにもプライドがあった。現地人が先祖伝来より長く伝えられていて腐らず一年中、中に水さへ入れて置けば、４℃を保ち続ける素焼壺他、道具よりも頑丈であり、軽く、見た目のきれいな、このクーラボックスをして、この内側の温度を、いかに連日４０℃を越える日照時の続く所においても、せめて内部温度を一日１２時間以上の時間帯、摂氏４℃以下を保たたせる事が出来ないものであろうか！と考えた時、
【０００８】  科学の昇華現象を思い出し、タオル素材地品を本発明、図１に見られる雑布布の厚さまで縫い合わせて作り、市販されているあらゆる、クーラーボックスに寸法を合わせ、このタオル地に水を含ませクーラーボックスにスッポリと覆い被せた時、その表面に昇華現象が働き、クーラーボックスの蓋を極度に開け閉めしない限り、氷も消失しづらくなり、内部冷蔵温度は１２時間を遙かに越えても４℃効果を持続するものとなった。通常に市販されているクーラボックスの中に氷を入れて使ったままでは考えられぬ効力を発輝するものであった。
【発明の効果】
【０００９】  市販され、市場に現存するクーラーボックスの使用目的や、気象、大気温とこの内に入れる氷の大きさ、形状によっても、このクーラボックスがして、その中の冷蔵内容物のボックス内の温度と、その持続時間の長さは、大きく違って来る中、世の人々が持っているこのクーラーボックスの不満と不便さは、やはり、氷と要冷物を、このボックスの中に入れたならば、それが如何なる条件の元にあろうとも必ず１２時間以上の時間帯において、この内容物を冷やし続ける事の出来る能力と保障が生じた際、あらゆる優秀な日本企業の持つ技術力とオートメーション化に追い付て来ている、近隣、発展途上国の技術力に対して、決っして、日本国をする先進技術大国の技術力とその効果は、その知力として引けを取らなかった。
【発明を実施するための最良の形態】
【００１０】  本発明品は、分り易く言って、大空に畳８畳分の大枝を張る大木（Ｅ２＝ｎ）があった時、台風（Ｘ）の接近時には、その力学的大風（Ｚ）を大木の枝は受ける時、大木は、その大風に堪え抜く為に、枝と同等に地下に張り巡らされた根張り力（Ｙ）を効力（−）に生じさせ、大木は大地に倒れない様に大風の前にふん張ります。公式Ｅ２＝ｎ⇒Ｘ＋Ｙ＝Ｚを用いた時に、Ｅ２＝ｎをする相対性論理は４次元までを表わし、哲学の中庸を表わした。【００１１】  同様に、現在市販されているクーラーボックスの持つ機能をＥ２＝ｎで表わし一定の時間（大陽、温熱出力、１２時間：Ｘ）にある大陽光線の持つ力学（光りは、同等の熱質量に変わる：万有爆力の法則）に直接対抗する氷の凝結維持時間（要冷出力１２時間：Ｙ）を平均させるには、そのクーラボックスの持つ縦、横、高さ（空間立体）全体にあるボックス内温度を１〜４℃以下にするべく、この立方体面接の全てを１〜４℃以下に出力（Ｙ）させるべく、これに昇華させるクール、バリアー即ち、このクーラーボックス全体を（できるだけ）隙間なく、雑布の様に厚く縫い合わせたタオル、カバーに水を吸い込ませた、本発明品クールータオル（テオリーくん３９０号）の形状の物を創作し、現在市販されているあらゆるクーラーボックス他、夏期暑中、冷却させたいと思われる容器物に着せる事が理想であり、この発明品の内側に銀箔を貼り、クーラボックス内にも方形型の銀箔を予め作って、これに入れると更に効果的となった。【００１２】  但し、本発明品では、地域夏期暑度数の気象温度に合わせて内側に銀箔を貼った水分を含む、厚手のクールタオルをクーラボックスに覆い被せ、ボックスの蓋を開け閉めし易い型で製作し、用いると、ボックス内の、氷は融解しづらく、融解しても、その融解水は４℃を保ち続ける物となるので、これを利用すべく中敷きに穴の多く開いたステンレス製のボックス内の水貯まり底、分離板をこれに入れて置く事が必しも理想となった。
【実施例】
【００１３】  インド、アフリカ、中東地区を筆者が、回遊においての研究中気象温度は、日本の東京より１０℃以上高く４０℃を越えても、これらの地方では湿気が少く、全ての物に昇華現象が働き易いので、そう苦にはならず中、東京での真夏３０℃の中では、昇華現象が働きずらい為、人、動物は熱中症にかかり易かった。しかしながら、同様に【００１４】  本発明品を以って、彼の国々では水を含ませたクール．タオル（Ｔ．３９０号）をする、氷を入れたクーラーボックスに着せて置きさへすれば、倒い１２時間を過ぎてもボックスの中は４℃を保ち続けるものとなったが、果して、湿度の高い日本にこれを持ち帰り、７、８月の炎暑３０℃を越える日照下の元で、同じ実験をしても殆ど大差は無いものとなった。（但し、実験中においては、クーラーボックスの蓋を開け閉めをしてはいけなかった。）【００１５】  この様にして、本、実施例の元「１２時間、氷解時間遅延実験をし、日中、気象３０℃の中、クーラーボックスの中の温度を４℃に保持し続ける為には、クーラーボックスの内表面積の１／３以上の表面積を持つ板氷をこの中に入れ、底高１ｃｍ以上の水を張って置くと、堪だ具合が良く、１２時間以上の後においてもクーラーボックス内の温度が４℃以下に保たれている実験効果を科学的に立証を得る物となった。
【産業上の利用の可能性】
【００１６】「サルマネ」という言葉の意味をご存知であろうか？辞書では、「物の本質をよく考えず、うわべだけを真似る者を言う。」と言っていた。かっての日本国が、江戸時代から、明治、大正時代に入り、文明開花に躍新した頃、日本人の金持、庄屋の子息達の筆箱の中には、へ先、３ｃｍ位の所まで、墨芯の入ったえんぴつが筆と共に筆箱の中に入っており、人々は、これを見て大変にめずらし思った。
【００１７】当時の日本国人の文化、文明の中においては、「えんぴつ」などは、不要な物であり、人々は墨、すずり、筆を専ら、筆記具に必要としていたからであった。筆者の祖父もその祖父も、又、その祖も、絵画、芸術を嗜んだ者であったらしく、旧家の古い蔵を整理した際、納戸の奧にあった古い筆箱の中からこのへ先３ｃｍ程の所までに墨芯の入ったえんぴつという代物が出て来るのを筆者は見た事があった。
【００１８】その出来具合は、寸分の狂いもなく、重さ、形、バランスが良く、グラ付きが無く、芯は、コケシの首軸を支える、物の様に墨芯は、えんぴつのへ先３ｃｍ位の所まで入っていても、その先には入っていなかった。オートメーションのまだ無かった時代に日本人の気質と気骨を筆者はこのえんぴつに見ていた。――ところが、このえんぴつも、かっては、日本の技術を代表する物として、逆に欧米諸国に輪出された事もあったらしく、須く、合理主義をモットーにする西洋人の笑い物となり、この時から日本製品は、メードインジャパンと呼ばれ、ジャンプ（ハネッ返り）をして、サル真似国民である、と、事の本質を見ない彼等に罵られ続けるものとなったが、このえんぴつの墨芯の濃淡の作り方は、の１３０年後に日本に出現する、現代のシャープペンシル思想にも思え、決っして竹光思想で製作され、欧米諸国に輪出されたものでは無い。と頑固に筆者は、考えていた頃、安い人件費と未熟な製産技術で製作される近隣、緒外国のＹバリューコスト安製品の数多くの制品を見て、その技術力を筆者が見る時、筆者の様に目効する日本人が、高令化社会化する、高令層に多くいたのである。・・・・・生意気と取られるのも困るので、一例する時、日本人がワラで編む陣笠に匹敵するワラ編み帽子は、全世界を探してみても未だに筆者は、これに並ぶ物を世界には見た事が無かった。ワラジにしてもそうであった。
【００１９】  ところが、それらの技術力はさて置いても、現代では、科学技術力の目効きが出来るか、否かによる様相はいつしか変貌していた。適合するプラスチックチップ（プラスチック製造の元）の製造科学式を正しく理解し、これを釜の中に入れ、その金型から、これを取り出す時、大量生産における、プラスチック製品、是非は、いかなる人物においても自在制御できる感性は、やはり技術力とその経験の中にあって、
【００２０】  メードインジャパーンと他国、製造のプラスチック製品の実効力性を見極める時、つい最近まではメードインジャパーンの実力にかなうものなどは無い。として筆者は、目効人を自称して、これを見ていたが、近頃、手に持つ彼国の品々に０．０３％の割り合いで、これに匹敵する以上のある物を見受ける様になった時、彼の国の人海戦術にある安い人権コスト、豊富な資源と優秀な人材力をして、慢らない低姿勢の有体、、それは、かっての、日本国家、国民の持っていた謙虚さ、そのものの素形にあった。日本は、このまま行ったら確実に彼国に惨敗する。と考えた。
【００２１】  日本にある旧体技術は、そのままにし、彼等が追いつくままに、させた時、経済学：経済戦争も軍事戦争も表裏一体にあり、実質同様にあって、国破れれば山河ありて、国民労すれど、（その大型税導入の為）楽にならざるものとなり、国民の幸せを考え、国害になる敵は、一定の時間と空間に在る中、早期に、これを見つけ出し、確実に、０．０３％を上廻わる勢いを以ち、駆除をし、
【００２２】  これら、侵出、侵略される、彼等が日々生産する優れ物に対して、日本のそれらを更に上廻わる優秀な頭脳と学識（学問）の力を以って、正正堂々とし、これを包囲し、包み込んで、駆逐しょうと思い続ける時、本、発明される「クール．バリアー（Ｔ．３９０号）の発明により、これを用いる事により、国外から洪水の様に国内に来襲する低価格大量オートメーション生産輪入品をして、夏期暑中、容器（クーラーボックス）これを以って冷やして置きたいと思わられあらゆる物に、タオル（布）他、保湿紙を、その型に作り、これに水を含ませ、着せて置くだけでその物が持つ冷却能力を彼等が持つ旧体科学技術能力の数倍以上をする安価格コストにある化学昇華能力でこれを引き出せる様になる際、これらを保守する日本の生産企業を予めを以って守る事が出来る様になる時、この産業上における利用の可能性は極めて大きい物となった。
【図面の簡単な説明】
【００２３】
【図１】  安価格、大量生産されるクーラーボックスの型に、本発明されるタオル地、他、保湿紙で着物を作る様に、この外覆を作って、これに着せ、水分を含ませた時、昇華現象が強力に働き、中にある氷解時間を６時間以上遅らせる事が出来る事を示した図であり、（但し、アイスボックスの目安）
【００２４】  内側の表面積の１／３の表面積を持つ板氷を、内容物とする事をハッキリ示す、穴開きスチール板で作り、これを中敷きとして置くと消費者に６時間延長の安心感を与える事と共に、氷解水が、クーラーボックスの持つ内側６面体中の底面積の全てを覆うので、クーラーボックスの冷温効果を高める事を図示。【００２５】
【図２】  表面のザラザラしたプラスチック容器に、食品（トウモロコシ、すいか、メロン）を入れ中に氷を入れ、本発明されるバリア．リューフ、タオル布で作られた着物をこれに着せる時、クーラーボックス内の氷（目安はクーラーボックス、内面積の１／３表面積を持つ氷で、３時間）の氷解時間を延ばし、これに包まれた内容物は内側と、外側から冷却する効果が生じる事を示した図と、普通にクーラーボックスを包む様にバリア．リーフ衣をこれに着せた図。
【００２６】
【図３】  建設業界や、工場内等にある、高温を嫌う圧縮ボンベや、薬品貯蔵ポリタンクの型に、本発明、バリアリーフ衣を作って、これに着せた場合、炎天炎の元に、これを晒しておいても、貯水層に水があり、バリア．リーフ衣が保水している限り、容器内、表層温度は、必ず４℃に保たれ続ける事を図示した図であった。
【附号の説明】
【００２７】１．クーラーボックス本体。２．クーラーボックスに被せられた、本発明、クール．バリア。３．プラスチックで作られたクーラー容器。４．氷。５．クールバリアリーフはスッポリと、クーラー容器を包み込む物であるが、使用時、蓋の開け閉めが便利な様に、蓋部を分離し、リボンを付けて置く。６．肩かけショルダー紐。７．取っ手。８．取っ手出し蓋。９．ショルダー紐出し蓋。１０．水受け底容器。１１．貯り水。１２．貯り吸い上げ水。１３．タオル地、若しくは、保湿紙で作られた西瓜、運搬、ラック、であるが、タオル、若しくは保湿紙に水を含ませて冷蔵庫に入れると、冷却効果が増す事と共に冷却効果時間を短縮でき、冷蔵庫から外に出しても冷却し続けるものとなる事を示しています。１４、氷解時間６時間延長、（ステンレス、アイスボックス：Ｔ３９２号の図であり）本発明、クールバリアー：Ｔ３９０号を併用すると、この効果は更に強力となります。
【図１】
2007071523.tif 000004
【図２】
2007071523.tif 000005
【図３】
2007071523.tif 000006